(57)【特許請求の範囲】
【請求項１】
ネットワークを介して接続された参加者端末に対して、商品オークションを行うオークションサーバであって、
オークションにかける各商品の名称、現在の入札価格、アクセス数およびオークション終了までの残り時間を含む商品属性情報を各商品毎に記憶する商品情報データベースと、
参加者端末からのネットワークを介したアクセスに応答し、参加者端末からの商品情報の要求に応じて前記商品情報データベースから該当する商品の商品属性情報を取得する商品情報取得手段と、
この取得した商品属性情報に対応する三次元座標を計算する三次元座標計算手段と、この計算した商品属性情報に対応する三次元座標に基づき商品属性情報を参加者端末に三次元で表示すべく該三次元座標を商品属性情報とともにネットワークを介して参加者端末に送信する送信手段とを有し、
前記三次元座標は、奥行軸が手前ほど大きな値となる現在の入札価格、横軸が終了までの残り時間、縦軸がアクセス数であることを特徴とするオークションサーバ。
【請求項２】
参加者端末からネットワークを介して送信される入札を含む入力情報または時間経過に従って前記商品情報データベースに記憶されている該当する商品属性情報をリアルタイムに更新するとともに、この更新された商品属性情報を各参加者端末に送信し、この更新された商品属性情報で各参加者端末に表示されている該当する商品属性情報をリアルタイムに更新する更新手段を有することを特徴とする請求項１に記載のオークションサーバ。
【請求項３】
ネットワークを介して接続された参加者端末に対して、商品オークションを行うオークションサーバが処理するオークション処理方法であって、
オークションにかける各商品の名称、現在の入札価格、アクセス数およびオークション終了までの残り時間を含む商品属性情報を各商品毎に商品情報データベースに記憶するステップと、
参加者端末からのネットワークを介したアクセスに応答し、参加者端末からの商品情報の要求に応じて前記商品情報データベースから該当する商品の商品属性情報を取得するステップと、
この取得した商品属性情報に対応する三次元座標を計算するステップと、
この計算した商品属性情報に対応する三次元座標に基づき商品属性情報を参加者端末に三次元で表示すべく該三次元座標を商品属性情報とともにネットワークを介して参加者端末に送信するステップと、からなり、
前記三次元座標は、奥行軸が手前ほど大きな値となる現在の入札価格、横軸が終了までの残り時間、縦軸がアクセス数
であることを特徴とするオークション処理方法。
【請求項４】
参加者端末からネットワークを介して送信される入札を含む入力情報または時間経過に従って前記商品情報データベースに記憶されている該当する商品属性情報をリアルタイムに更新するとともに、この更新された商品属性情報を各参加者端末に送信し、この更新された商品属性情報で各参加者端末に表示されている該当する商品属性情報をリアルタイムに更新することを特徴とする請求項３に記載のオークション処理方法。
【請求項５】
請求項３または４に記載のオークション処理方法をコンピュータに実行させることを特徴とするオークション処理プログラム。
【請求項６】
請求項５に記載のオークション処理プログラムを記録したことを特徴とするコンピュータ読み取り可能な記録媒体。
【発明の詳細な説明】
【０００１】
【発明の属する技術分野】
本発明は、商品のオークションを行うオークションサーバにネットワークを介してアクセスしたオークション参加者端末に対してオークション商品情報を三次元（３Ｄ）で表示するネットオークションにおける商品表示システムおよび商品表示方法と商品表示プログラムおよび該プログラムを記録した記録媒体に関する。
【０００２】
【従来の技術】
従来、パソコンなどのデータ端末からインターネットを利用し、ＨＴＭＬにより商品の名称、写真、価格などをリストとしてＷｅｂブラウザ上で表示する方法は広く知られている。また、インターネットを利用したネットオークションも近年行われている。
【０００３】
インターネットなどのネットワーク上でオークションを行う場合、Ｗｅｂブラウザを用いて出品する商品の表示を行い、この表示された商品に対して入札を行うことが一般的であるが、従来、一度に表示し得る商品の数に限界があり、大量の商品を閲覧する場合には、複数のページに分割された商品リストのページに順次アクセスして閲覧している。また、各商品の詳細な情報が表示されたページは、従来、それぞれ１つのＷｅｂページで構成されているのが一般的である。
【０００４】
一方、パソコンなどのデータ端末からインターネットを介してＷｅｂページにアクセスして、Ｗｅｂページを閲覧する場合、データ端末の表示画面の三次元空間上にＷｅｂページや画像を配置して表示する方法は、例えば特願平１０−２６３６１７号に記載されている。
【０００５】
【発明が解決しようとする課題】
上述したように、パソコンなどのデータ端末からネットワーク上で行われるオークションに参加し、Ｗｅｂブラウザを用いて表示された商品を閲覧しようとする場合、従来は、一度に表示し得る商品の数に限界があるため、大量の商品を閲覧する場合には、複数のページに分割された商品リストのページに順次アクセスして閲覧しなければならず、煩雑であり、操作性が悪く、非効率的であるという問題がある。
【０００６】
また、各商品の詳細な情報が表示されたページは、従来、それぞれ１つのＷｅｂページで構成されているため、複数の商品を比較することが難しい上に、それぞれのオークションの進行状況を知るためには、順次複数のページを閲覧していかなければならず、煩雑であり、操作性が悪く、非効率的であるという問題がある。
【０００７】
更に、オークション参加者から高値更新などの商品情報の更新が行われた場合には、従来は、メールなどを用いて、各オークション参加者に通知しているが、各オークション参加者は商品情報の更新をリアルタイムに知ることは困難であるという問題がある。
【０００８】
また、従来のネットオークションでは、各商品にアクセスまたは入札しているオークション参加者同士のコミュニケーションを取ることが難しく、例えば実際のオークション会場におけるような賑わいを表現することが困難であるという問題がある。
【０００９】
本発明は、上記に鑑みてなされたもので、その目的とするところは、各商品の属性情報を用いて複数の商品情報を三次元で一覧的かつリアルタイムに表示し、各商品の検索や比較を容易に行うことができるようにして利便性、操作性を向上したネットオークションにおける商品表示システムおよび商品表示方法と商品表示プログラムおよび該プログラムを記録した記録媒体を提供することにある。
【００１０】
【課題を解決するための手段】
上記目的を達成するため、請求項１記載の本発明は、ネットワークを介して接続された参加者端末に対して、商品オークションを行うオークションサーバであって、オークションにかける各商品の名称、現在の入札価格、アクセス数およびオークション終了までの残り時間を含む商品属性情報を各商品毎に記憶する商品情報データベースと、参加者端末からのネットワークを介したアクセスに応答し、参加者端末からの商品情報の要求に応じて前記商品情報データベースから該当する商品の商品属性情報を取得する商品情報取得手段と、この取得した商品属性情報に対応する三次元座標を計算する三次元座標計算手段と、この計算した商品属性情報に対応する三次元座標に基づき商品属性情報を参加者端末に三次元で表示すべく該三次元座標を商品属性情報とともにネットワークを介して参加者端末に送信する送信手段とを有し、前記三次元座標は、奥行軸が手前ほど大きな値となる現在の入札価格、横軸が終了までの残り時間、縦軸がアクセス数であることを要旨とする。
【００１１】
請求項１記載の本発明にあっては、オークションサーバはオークションにかける各商品の名称、現在の入札価格、アクセス数およびオークション終了までの残り時間を含む商品属性情報を各商品毎に商品情報データベースに記憶し、参加者端末からの商品情報の要求に応じて商品情報データベースから該当する商品の商品属性情報を取得し、この商品属性情報に対応する三次元座標を計算し、この三次元座標を商品属性情報とともにネットワークを介して参加者端末に送信する。この三次元座標は、奥行軸（例えばＸ軸）を手前ほど大きな値となる現在の入札価格、横軸（例えばＹ軸）を終了までの残り時間、縦軸（例えばＺ軸）をアクセス数とする。
一方、これにより参加者端末では、このオークションサーバから送信されてくる三次元座標を商品属性情報とともに受信すると、商品属性情報を三次元座標に基づき三次元で表示するため、オークション参加者は手前ほど大きな値となる複数の現在の入札価格、アクセス数、残りの時間などの商品属性情報を１つの画面上で一目で閲覧することができるとともに、閲覧しながら、各商品の比較や検索などを容易かつ効率的に行うことができる。また、複数のオークション商品の進行状況をリアルタイムで視覚的に同時かつ容易に把握することができる。
【００１６】
請求項２記載の本発明は、請求項１に記載の本発明において、参加者端末からネットワークを介して送信される入札を含む入力情報または時間経過に従って前記商品情報データベースに記憶されている該当する商品属性情報をリアルタイムに更新するとともに、この更新された商品属性情報を各参加者端末に送信し、この更新された商品属性情報で各参加者端末に表示されている該当する商品属性情報をリアルタイムに更新する更新手段を有することを要旨とする。
【００１７】
請求項２記載の本発明にあっては、参加者端末からの入力情報または時間経過に従って商品情報データベースに記憶されている商品属性情報がリアルタイムに更新され、この更新された商品属性情報で各参加者端末に表示されている該当する商品属性情報をリアルタイムに更新するため、逐次変化するオークションの現在の進行状況をリアルタイムかつ視覚的に把握することができる。
【００１８】
また、請求項３記載の本発明は、ネットワークを介して接続された参加者端末に対して、商品オークションを行うオークションサーバが処理するオークション処理方法であって、オークションにかける各商品の名称、現在の入札価格、アクセス数およびオークション終了までの残り時間を含む商品属性情報を各商品毎に商品情報データベースに記憶するステップと、参加者端末からのネットワークを介したアクセスに応答し、参加者端末からの商品情報の要求に応じて前記商品情報データベースから該当する商品の商品属性情報を取得するステップと、この取得した商品属性情報に対応する三次元座標を計算するステップと、この計算した商品属性情報に対応する三次元座標に基づき商品属性情報を参加者端末に三次元で表示すべく該三次元座標を商品属性情報とともにネットワークを介して参加者端末に送信するステップと、からなり、前記三次元座標は、奥行軸が手前ほど大きな値となる現在の入札価格、横軸が終了までの残り時間、縦軸がアクセス数であることを要旨とする。
【００１９】
請求項３記載の本発明にあっては、オークションサーバは各ステップ毎に、オークションにかける各商品の名称、現在の入札価格、アクセス数およびオークション終了までの残り時間を含む商品属性情報を各商品毎に商品情報データベースに記憶し、参加者端末からの商品情報の要求に応じて商品情報データベースから該当する商品の商品属性情報を取得し、この商品属性情報に対応する三次元座標を計算し、この三次元座標を商品属性情報とともにネットワークを介して参加者端末に送信する。この三次元座標は、奥行軸（例えばＸ軸）を手前ほど大きな値となる現在の入札価格、横軸（例えばＹ軸）を終了までの残り時間、縦軸（例えばＺ軸）をアクセス数とする。
一方、上記により参加者端末ではオークションサーバから送信されてくる三次元座標を商品属性情報とともに受信すると、商品属性情報を三次元座標に基づき三次元で表示するため、オークション参加者は手前ほど大きな値となる複数の現在の入札価格、アクセス数などの商品属性情報を１つの画面上で一目で閲覧することができるとともに、閲覧しながら、各商品の比較や検索などを容易かつ効率的に行うことができる。また、複数のオークション商品の進行状況をリアルタイムで視覚的に同時かつ容易に把握することができる。
【００２４】
また、請求項４記載の本発明は、請求項３に記載の本発明において、参加者端末からネットワークを介して送信される入札を含む入力情報または時間経過に従って前記商品情報データベースに記憶されている該当する商品属性情報をリアルタイムに更新するとともに、この更新された商品属性情報を各参加者端末に送信し、この更新された商品属性情報で各参加者端末に表示されている該当する商品属性情報をリアルタイムに更新することを要旨とする。
【００２５】
請求項４記載の本発明にあっては、参加者端末からの入力情報または時間経過に従って商品情報データベースに記憶されている商品属性情報がリアルタイムに更新され、この更新された商品属性情報で各参加者端末に表示されている該当する商品属性情報をリアルタイムに更新するため、逐次変化するオークションの現在の進行状況をリアルタイムかつ視覚的に把握することができる。
【００２６】
更に、請求項５記載の本発明は、請求項３または４に記載のオークション処理方法をコンピュータに実行させることを要旨とする。
【００２７】
請求項５記載の本発明にあっては、奥行軸を手前ほど大きな値となる現在の入札価格、横軸を終了までの残り時間、縦軸をアクセス数とする三次元座標で表示しかつ更新するプログラムにより複数のオークション商品の進行状況をリアルタイムで視覚的に同時かつ容易に把握することができる。
【００３４】
請求項６記載の本発明は、請求項５に記載のオークション処理プログラムを記録媒体に記録したことを要旨とする。
【００３５】
請求項６記載の本発明にあっては、奥行軸を手前ほど大きな値となる現在の入札価格、横軸を終了までの残り時間、縦軸をアクセス数とする三次元座標で表示するプログラムを記録媒体に記録しているため、該記録媒体を用いて、その流通性を高めることができる。
【００４２】
【発明の実施の形態】
以下、図面を用いて本発明の実施の形態を説明する。図１は、本発明の一実施形態に係わるネットオークションにおける商品表示システムの構成を示すブロック図である。同図に示すシステムは、商品のオークションの実行および管理を行うとともに、各商品の表示を三次元（３Ｄ）で行うことを可能とする三次元オークションサーバ（以下、３Ｄオークションサーバ１と称する）を有し、この３Ｄオークションサーバ１は例えばインターネットまたは専用線などを利用した高速ネットワーク３に接続され、この高速ネットワーク３から更に例えば光ファイバまたはＡＤＳＬ(Asymmetric Digital Subscriber Line)などを利用した高速アクセス回線５を介して例えばパソコンなどからなる複数のオークション参加者端末７に接続されている。
【００４３】
３Ｄオークションサーバ１は、図２に詳細に示すように、商品情報データベース１１、商品情報ページ表示手段１３、リアルタイムイベント処理手段１５、３Ｄ座標計算手段１７を有する。
【００４４】
商品情報データベース１１は、オークションにかける各商品の名称、現在の入札価格、オークション終了までの残り時間、各商品情報に対するアクセス数、各商品に対する出品者の評価文、各商品の説明文、各商品に対するオークション参加者からのコメント文、各商品の画像などを含む商品属性情報を各商品毎に記憶している。なお、これらの各商品の商品属性情報は、例えばページを単位として各商品毎に作成される商品情報ページとして記述され、商品情報データベース１１に記憶されている。
【００４５】
商品情報ページ表示手段１３は、参加者端末７からの要求を受け付け、この要求に応じて商品情報データベース１１に格納されている各商品の商品情報ページを商品情報データベース１１から読み出して参加者端末７に送信する機能を有する。なお、商品情報ページがＷｅｂページを用いる場合には、この商品情報ページ表示手段１３はＷｅｂサーバとして構成されることになる。
【００４６】
３Ｄ座標計算手段１７は、商品情報データベース１１に格納されている各商品の各商品属性情報に応じ、対応する三次元空間上の座標を各ページに対して計算する機能を有する。
【００４７】
リアルタイムイベント処理手段１５は、各参加者端末７から送信された入札やコメント情報などの入力情報を受信し、この入力情報の内容に応じて商品情報データベース１１内の商品属性情報を更新し、この更新情報に対する適切な情報を複数の参加者端末７に同時かつリアルタイムに送信する機能を有する。
【００４８】
以上のように構成されるネットオークションにおける商品表示システムにおいて、参加者が参加者端末７から高速アクセス回線５、高速ネットワーク３を介して３Ｄオークションサーバ１にアクセスしてオークションに参加し、商品情報の要求を行うと、３Ｄオークションサーバ１は、この商品情報の要求に応じて商品情報データベース１１から該当する商品の例えば現在の価格、オークション終了までの残り時間、アクセス数などの商品属性情報を商品情報ページとして取得し、この商品属性情報に応じて３Ｄ座標計算手段１７が各商品情報ページの三次元座標を計算し、この計算した各商品情報ページの三次元座標とそのページを表示するためのアドレスをリアルタイムイベント処理手段１５を介して参加者端末７に送信する。
【００４９】
参加者端末７は、３Ｄオークションサーバ１から送信されてきた商品情報ページのアドレスを受信すると、このアドレスを用いて３Ｄオークションサーバ１の商品情報ページ表示手段１３に対して問合せを行い、該当する商品情報ページを取得し、この商品情報ページを参加者端末７上の対応する三次元座標上に配置し、これにより図３に示すような三次元空間上に各商品情報ページが表示される。
【００５０】
図３は、参加者端末７の表示画面上に各商品の属性情報として三次元座標のｘｙｚ軸にそれぞれ対応して各商品の現在の価格、終了までの残り時間、アクセス数を設定し、その三次元座標上に各商品情報ページを矩形のマークで三次元表示している三次元空間の画面を示しているものである。なお、ｘ軸の現在の価格は、原点から離れる程、大きな価格となり、ｙ軸の終了までの残り時間は、原点から離れる程、長くなる。つまり原点に近づくほど、終了間際のオークションであるということになる。またｚ軸のアクセス数は原点から離れる程、大きな値となる。
【００５１】
具体的に説明すると、各矩形マークは、矩形マーク自体の三次元空間における位置自体が各商品の現在の価格、終了までの残り時間、アクセス数などを表示しているものであることに加えて、更に分かり易くするために、この矩形マーク内に文字情報で現在の価格や残り時間などを表示するとともに、更に矩形マーク内には商品の画像なども表示し得るようになっているものである。例えば、一番手前にある一番大きな矩形マークは、商品の現在価格が５０００円と文字表示され、残り時間が２時間４３分と文字表示されているが、この矩形マークはｘ軸上で５０００円、ｙ軸上で２時間４３分、および図示しないがｚ軸上であるアクセス数の座標に該当する位置に三次元的に表示されているものである。なお、図３では、各商品情報ページを表す複数の矩形マークは、重なり合っているものもあるが、この重なりは、前述した特願平１０−２６３６１７号に記載されているように、重なり合っている複数の商品情報ページの透明度を任意に変化させることにより重なって隠れている商品情報ページを可視状態にできるようになっているものであるとともに、更に各商品情報ページを表す各矩形マークの大きさも任意の倍率で自在に縮小または拡大し得るようになっているものである。
【００５２】
このような矩形マークが複数、各商品に対応してｘｙｚの三次元空間上に立体的に表示され、これによりオークション参加者はこのように三次元空間上で矩形マークで表示される複数の商品情報ページを三次元空間の位置に関連して見ることにより、大量の商品の現在価格、残りの時間、アクセス数、画像などを参加者端末７の１つの画面上で一目で閲覧することができ、かつ閲覧しながら、各商品の比較などを効率的に行うことができるとともに、所望の商品がどこにあるか容易に検索または検出できるというように商品の検索性を向上し、かつ複数の商品の比較を容易に可能とするようになっている。
【００５３】
また、商品属性情報に従って参加者端末７の三次元空間に複数の商品が配置しているため、注目している商品と他の商品との相対関係を視覚的に把握することができき、商品の検索や選択を容易に行うことも可能である。
【００５４】
また更に、図３に示す画面では、左端にチャットウィンドウが表示されているが、このチャットウィンドウは、後述するように各オークション参加者が参加者端末７から送信する商品に対するコメント文を３Ｄオークションサーバ１で受信し、このコメント文をチャットとして三次元空間の一部にリアルタイムに表示するようになっているものである。このように各参加者による各商品に対するコメント文をリアルタイムに表示することにより、商品にアクセスまたは入札している参加者同士でチャットを行うことができ、実際のオークション会場のような賑わいをネットオークション上でも実現することができるものである。
【００５５】
上述したように３Ｄオークションサーバ１を構成する商品情報ページ表示手段１３、リアルタイムイベント処理手段１５、３Ｄ座標計算手段１７は、３Ｄ座標計算手段１７が本発明の三次元座標計算手段に機能的にほぼ対応するものであるが、詳しくはこれらの各手段１３、１５、１７が相互に連携して以下に説明するような三次元座標計算手段、座標送信手段、商品情報送信手段を構成し、また参加者端末７は上述した特願平１０−２６３６１７号に記載される機能として商品情報表示要求手段、三次元表示手段を有しているものについて本実施形態の変形例として次に説明する。
【００５６】
この変形例において、３Ｄオークションサーバ１では、参加者端末７からの高速アクセス回線５、高速ネットワーク３を介したアクセスに応答し、参加者端末７からの商品情報の要求に応じて商品情報データベース１１から該当する商品の商品属性情報および該商品属性情報の記憶されているアドレスを取得して、該商品属性情報に対応する三次元座標を三次元座標計算手段で計算し、この計算した商品属性情報に対応する三次元座標を前記アドレスとともに３Ｄオークションサーバ１の座標送信手段から高速ネットワーク３、高速アクセス回線５を介して参加者端末７に送信する。
【００５７】
参加者端末７は、３Ｄオークションサーバ１から送信されてくる商品属性情報に対応する三次元座標をアドレスとともに受信すると、商品情報表示要求を前記アドレスとともに３Ｄオークションサーバ１に高速アクセス回線５、高速ネットワーク３を介して商品情報表示要求手段が送信する。
【００５８】
３Ｄオークションサーバ１は、参加者端末７からの商品情報表示要求をアドレスとともに受信し、このアドレスに対応する商品属性情報を商品情報データベース１１から取得して参加者端末に商品情報送信手段が送信する。
【００５９】
参加者端末７は、３Ｄオークションサーバ１から送信されてくる商品属性情報を受信すると、該商品属性情報を先に受信している前記三次元座標に基づき参加者端末７上に配置して三次元で三次元表示手段が表示することになる。
【００６０】
なお、商品情報データベース１１は、各商品の名称、現在の入札価格およびオークション終了までの残り時間、各商品情報に対するアクセス数、各商品に対する出品者の評価文、各商品の説明文、各商品に対するオークション参加者からのコメント文、各商品の画像を含む商品属性情報を記憶しているが、この商品属性情報のうち、オークション参加者からのコメント文は、上述したように参加者端末７の三次元空間上にチャットウィンドウとして複数の商品情報ページとともにリアルタイムで表示され、これにより実際のオークションの賑わいを表現し得るようになっている。
【００６１】
具体的には、オークション参加者が参加者端末７から送信した商品に対するコメント文を３Ｄオークションサーバ１において具体的にはリアルタイムイベント処理手段１５が受信すると、商品情報データベース１１の該当する商品の商品属性情報であるコメント文が更新される。そして、この更新した商品に対するコメント文をリアルタイムイベント処理手段１５を通じて他のオークション参加者の各参加者端末７にリアルタイムに送信し、各参加者端末７においてチャットウィンドウとして該コメント文を表示する。これによりオークション参加者同士によるチャットが実現し、商品毎に価格交渉などを行うことができる。そして、このようなチャット機能により実際のオークションの賑わいを表現することができる。
【００６２】
また更に、このようなチャットに新規に参加すると、該当する商品情報ページを振動させるなどして、商品のコメント文の更新を配置情報として参加者端末７における表示に反映させることも可能である。そして、チャットの参加者に応じて振動の度合いを変化させるなどして、現在のチャットの状況をリアルタイムかつ視覚的に把握することも可能である。
【００６３】
また、参加者端末７からは、高速アクセス回線５、高速ネットワーク３を介して入札やコメント文などの入力情報が３Ｄオークションサーバ１に送信されてくるが、この３Ｄオークションサーバ１では、このような入力情報をリアルタイムイベント処理手段１５で受信し、この入力情報に従って商品情報データベース１１に記憶されている該当する商品属性情報をリアルタイムに更新手段で更新するとともに、この更新された商品属性情報を各参加者端末７に同時かつリアルタイムに送信し、この更新された商品属性情報で各参加者端末７に表示されている該当する商品属性情報をリアルタイムに更新するようになっている。
【００６４】
例えば、参加者端末７からの入力情報が現在までの最高額の入札額である場合には、商品情報データベース１１内の該当する商品の商品属性情報である現在の価格がこの入札額に更新される。また、この更新された現在の価格に対して、３Ｄ座標計算手段１７が対応する三次元座標を計算し、この結果を３Ｄ座標計算手段１７を通じて複数の参加者端末７にリアルタイムに送信し、該当する商品情報ページの三次元空間上の位置を更新するようになっている。この結果、各参加者端末７にはオークションの現在の状況がリアルタイムで逐次表示され得るようになっている。
【００６５】
また、このような更新は、参加者端末７からの入力情報のみに限らず、例えば終了までの残り時間などは時間経過によって変化するが、時間経過によっても行われるようになっている。すなわち、時間が経過するにつれて、商品情報データベース１１に記憶されている終了までの残り時間などのような商品属性情報はリアルタイムに更新されるとともに、この更新された三次元座標も３Ｄ座標計算手段１７で即座に計算され、この計算された三次元座標および商品属性情報は各参加者端末７にリアルタイムに送信され、各参加者端末７に表示されている該当する商品属性情報が三次元空間上の新たな三次元座標にリアルタイムで変化するようになっている。なお、アクセス数などやその他の商品属性情報も更新された場合には、同様に三次元座標が計算され、該当する商品情報ページの三次元空間上の位置がリアルタイムに変更され、これによりオークションの現在の状況を参加者端末７の表示画面上に適確かつリアルタイムで反映できるようになっている。
【００６６】
このように商品情報が更新された場合、即座に参加者の参加者端末７の画面中にその結果が反映されるため、現在のオークションの進行状況をリアルタイムかつ視覚的に把握することが可能である。
【００６７】
また、本実施形態は、三次元空間上の表示位置の変更のみでなく、商品情報ページに属性として付随する文字情報も更新することが可能であり、上述したように現在の価格や残り時間などの情報を文字として参加者端末７の画面の例えば前記矩形マーク内に表示することができる。
【００６８】
更に、この矩形マーク内には、商品の画像に加えて、例えば出品者の評価文、各商品の説明文などの商品属性情報も表示したり、または「評価文」「説明文」などの表示ボタンまたはアイコンで表示することも可能である。
【００６９】
なお、上記実施形態では、３Ｄオークションサーバ１は参加者端末７からのアクセスに対して三次元座標とアドレスを送信すると、参加者端末７から該アドレスを用いて商品情報ページの要求してくるというように３Ｄオークションサーバ１と参加者端末７との間の処理が２段階になっているが、次に本発明の他の実施形態として、３Ｄオークションサーバ１と参加者端末７との間の処理が１段階である場合について説明する。
【００７０】
この実施形態では、３Ｄオークションサーバ１は、参加者端末７からの高速アクセス回線５、高速ネットワーク３を介したアクセスに応答すると、参加者端末７からの商品情報の要求に応じて商品情報データベース１１から該当する商品の商品属性情報を商品情報取得手段で取得し、この取得した商品属性情報に対応する三次元座標を三次元座標計算手段で計算しする。
【００７１】
そして、この計算した商品属性情報に対応する三次元座標に基づき商品属性情報を参加者端末７に三次元で表示すべく該三次元座標を商品属性情報とともに高速ネットワーク３、高速アクセス回線５を介して参加者端末７に送信手段により送信する。
【００７２】
オークション参加者端末７では、３Ｄオークションサーバ１から送信されてくる三次元座標を商品属性情報とともに受信すると、この商品属性情報を三次元表示手段により三次元座標に基づき三次元で表示する。なお、本実施形態におけるその他の各種機能、作用、効果は、最初の実施形態のものと同じである。
【００７３】
なお、上記実施形態のネットオークションにおける商品表示方法の処理手順をプログラムとして例えばＣＤやＦＤなどの記録媒体に記録して、この記録媒体に記録されたプログラムを通信回線を介してコンピュータシステムにダウンロードしたり、または記録媒体からインストールし、該プログラムでコンピュータシステムを作動させることにより、商品表示方法を実施するシステムとして機能させることができることは勿論であり、このような記録媒体を用いることにより、その流通性を高めることができるものである。
【００７４】
【発明の効果】
以上説明したように、本発明によれば、オークションサーバでは参加者端末からの商品情報の要求に応じて商品情報データベースから該当する商品の商品属性情報を取得し、その三次元座標を計算して商品属性情報とともに参加者端末に送信し、参加者端末で商品属性情報を三次元座標に基づき三次元で表示するので、オークション参加者は複数の商品の現在価格、残りの時間などの商品属性情報を１つの画面上で一目で閲覧することができるとともに、閲覧しながら各商品の比較や検索などを容易かつ効率的に行うことができる。また、複数のオークション商品の進行状況をリアルタイムで視覚的に同時かつ容易に把握することができる。
【００７５】
また、本発明によれば、オークションサーバでは参加者端末からの商品情報の要求に応じて商品情報データベースから該当する商品の商品属性情報およびアドレスを取得して商品属性情報に対応する三次元座標を計算し、アドレスとともに参加者端末に送信し、参加者端末で三次元座標をアドレスとともに受信すると、商品情報表示要求をアドレスとともにオークションサーバに送信し、オークションサーバでアドレスに対応する商品属性情報をデータベースから取得して参加者端末に送信し、参加者端末で商品属性情報を三次元座標に基づき三次元で表示するので、オークション参加者は複数の商品の現在価格、残りの時間などの商品属性情報を１つの画面上で一目で閲覧することができるとともに、閲覧しながら各商品の比較や検索などを容易かつ効率的に行うことができる。また、複数のオークション商品の進行状況をリアルタイムで視覚的に同時かつ容易に把握することができる。
【００７６】
更に、本発明によれば、商品属性情報は更にアクセス数、出品者の評価文、各商品の説明文、各商品のコメント文、画像を含むので、例えばコメント文として各参加者による各商品に対するコメント文をリアルタイムに受信し、このコメント文を参加者端末上に商品属性情報とともチャットウィンドウにチャットとして表示することにより、商品にアクセスまたは入札している参加者同士でチャットをリアルタイムかつ視覚的に行うことができ、実際のオークション会場のような賑わいをネットオークション上でも実現することができる。
【００７７】
本発明によれば、参加者端末からの入力情報または時間経過に従って商品情報データベースの商品属性情報がリアルタイムに更新され、この更新された商品属性情報で各参加者端末に表示されている該当する商品属性情報をリアルタイムに更新するので、逐次変化するオークションの現在の進行状況をリアルタイムかつ視覚的に把握することができる。
【図面の簡単な説明】
【図１】本発明の一実施形態に係わるネットオークションにおける商品表示システムの構成を示すブロック図である。
【図２】図１に示す実施形態のネットオークションにおける商品表示システムに使用されている３Ｄオークションサーバの構成を示すブロック図である。
【図３】図１に示す実施形態のネットオークションにおける商品表示システムにおいて参加者端末の画面に表示される画面構成を示す図である。
【符号の説明】
１  ３Ｄオークションサーバ
３  高速ネットワーク
５  高速アクセス回線
７  参加者端末
１１  商品情報データベース
１３  商品情報ページ表示手段
１５  リアルタイムイベント処理手段
１７  ３Ｄ座標計算手段
【図１】
0003933914.tif 000002
【図２】
0003933914.tif 000003
【図３】
0003933914.tif 000004